(57)【要約】【構成】自転車用片脚スタンドにおいて、例えば両脚スタンドのように安定した駐輪状態を保つことができて、かつ、比較的に簡単にスタンドの起伏操作をできるようにする。【構成】脚部材１の下端部１’を延長し、延長部２の先を車体側に向けて曲げ、垂直方向に蛇行させて、中間にタイヤ幅に相当するＵ字形の垂直折り曲げ部４を形成し、折り曲げ部４の先を車体の前側に向けて略水平方向にＵ字形に折り返して折り返し部５を形成し、折り返し部の先を、脚部材の真下まで延長して接地部６とし、接地部の先を縦に折り曲げて先端部分７を脚部材に一体に接続することにより、スタンドを起立させた状態において接地部を接地させて、垂直折り曲げ部４の上方にタイヤの下端を浮かせるように構成した自転車用片脚スタンドである。【選択図】        図１
2004217007.tif 000002
【特許請求の範囲】
【請求項１】
自転車用片脚スタンドにおいて、脚部材の下端部をほぼ両脚スタンドの高さに相当する長さに延長して、この延長部の先を車体側に向けて曲げるとともに垂直方向に蛇行させて、中間にタイヤ幅に相当するＵ字形の垂直折り曲げ部を形成し、この折り曲げ部の先を車体の前側に向けてＵ字形に折り返して、略水平方向に沿う折り返し部を形成し、この折り返し部の先を、前記脚部材の真下まで略両脚スタンドの下辺に相当する長さに延長して接地部とするとともに、この接地部の先を上記脚部材に沿うよう縦に折り曲げ、折り曲げた先端部分を脚部材の適宜位置に一体に接続することにより、この片脚スタンドを起立させた状態において、上記接地部を接地させて前記垂直折り曲げ部の上方にタイヤの下端部分を浮かせるように構成したことを特徴とする片脚スタンド。
【請求項２】
前記片脚スタンドは、前記脚部材の下端部に車体の外側に向けて円弧形を形成する膨出部を具え、この膨出部をスタンドを撥ね上げるときの足掛け部に用いられるようにした、それぞれ車体の右側取付け用片脚スタンドと、車体の左側取付け用片脚スタンドとの２種類に形成されていることを特徴とする請求項１記載の自転車用片脚スタンド。
【発明の詳細な説明】
【０００１】
【産業上の利用分野】
本発明は、自転車用の片脚スタンドに関し、後輪の外側方において車体の一方の側面のみに取り付けた片脚スタンドを起立させると、あたかも両脚スタンドを起立させた場合のようにタイヤを地表から浮き上がらせて安定よくスタンドを掛けられるようにしたことを特長とするものである。
【０００２】
【従来の技術】
車体の片側のみ取り付けられる片脚スタンドは、脚部材の下端の接地部と、前後のタイヤの接地部分との３個所で地表に接し、かつ、内側に傾斜する脚部材とスタンド側に傾斜する車体との釣合いによって駐輪状態を保つようにしているので、不安定で倒れ易い上に、傾斜している車体を起こせば自転車の前後輪のみの接地になって走行が可能になり、妄りに持ち去られるおそれが生ずる（例えば、特許文献１参照）。
このような盗難の予防のために、スタンド装置と自転車錠とを組み合わせて、スタンドの起立状態をより強固に保持させるようにするとともに、盗難を防ぐようにしたものがある（例えば、特許文献２参照）。
さらに、片脚スタンドに比べて安定良く駐輪状態を保つようにするためには一般に両脚スタンドが採用されている（例えば、特許文献３、４参照）。
【０００３】
【特許文献１】
実開平６−８１８８２号公報  （第１頁、図１）
【特許文献２】
特開２００１−２１３３７１号公報  （第１頁、図１）
【特許文献３】
特開２００２−１９３１５８号公報  （第１頁、図１）
【特許文献４】
登録実用新案第３０８７９４９号公報  （第１頁、図１）
【０００４】
【発明が解決しようとする課題】
以上のことから本発明が解決しようとする課題は、この種の自転車用片脚スタンドにおいて、例えば両脚スタンドのように安定した駐輪状態を保つことができて、かつ、比較的に簡単にスタンドの起伏操作ができるようにすることにある。
【０００５】
【課題を解決するための手段】
そこで本発明は、自転車用片脚スタンドにおいて、脚部材の下端部をほぼ両脚スタンドの高さに相当する長さに延長して、この延長部の先を車体側に向けて曲げるとともに垂直方向に蛇行させて、中間にタイヤ幅に相当するＵ字形の垂直折り曲げ部を形成し、この折り曲げ部の先を車体の前側に向けてＵ字形に折り返して、略水平方向に沿う折り返し部を形成し、この折り返し部の先を、前記脚部材の真下まで略両脚スタンドの下辺に相当する長さに延長して接地部とするとともに、この接地部の先を上記脚部材に沿うよう縦に折り曲げ、折り曲げた先端部分を脚部材の適宜位置に一体に接続することにより、この片脚スタンドを起立させた状態において、上記接地部を接地させて前記垂直折り曲げ部の上方にタイヤの下端部分を浮かせるように構成したことを特徴とする片脚スタンドを提供するものである。
【０００６】
上記のように構成した本発明片脚スタンドは、脚部材の長さが両脚スタンドの高さ（丈）と略同じ位あって、スタンドを掛けた場合に、接地部が車体ならびにタイヤの下方に位置するので、片脚スタンドであるにもかかわらず両脚スタンドの場合と同様に、車体に傾きのない安定した駐輪ができる。また、スタンドを掛けた状態では、延長部の中間に設けた垂直折り返し部の間にタイヤの下端部分を上方に浮かせて自転車の後輪の接地が阻まれているので、妄りに持ち去られるおそれが少ない。
さらに本発明片脚スタンドは、上記折り返し部の先端を片脚スタンド本来の脚部に接続しているので、１本脚にもかかわらず強固で耐久性に富み、スタンドの起伏操作も簡単にできる。
【０００７】
【実施例】
以下に、本発明の実施例を図面について説明する。
図１は、車体の左側に取り付けられるようにした片脚スタンドの脚部材の背面図、図２は、同上の平面図、図３は、同上の左側面図、図４は、車体の右側に取り付けられるようにした片脚スタンドの脚部材の背面図、図５は、同上の平面図、図６は、同上の右側面図である。
【０００８】
図において、１は、片脚スタンドの丸鋼材製脚部材、２は、脚部材１の下端部１’から車体（図示省略）側に向けて延長されて、垂直方向に蛇行する延長部、３は、延長部２の中間を２個所で略逆Ｕ字形に折り曲げた折り曲げ部、４は、上記２個所の折り曲げ部３、３の間に、タイヤの幅に相当する間隔を開けてＵ字形に形成した垂直折り曲げ部、５は、折り曲げ部３、４の先を車体の前側に向けてＵ字形に折り返して形成した折り返し部、６は、折り返し部５から上記脚部材１の下端部１’に至る長さを具えて水平方向に直線形に形成した接地部、７は、接地部６の先を脚部材１に沿うように上方に折り曲げて適宜位置で脚部材１の中間に溶着により一体に接続した接続部である。
【０００９】
なお、図中８は、例えばスタンドを撥ね上げるときの足掛かりになるように、上記脚部材１の下端部１’に、車体の外側に向けて円弧形を形成するように設けた膨出部、９は、スタンドを車体に取り付ける取付け板、１０は、図３に示すように、脚部１を取付け板９に揺動可能に枢着する枢着軸の軸孔、１１は、図示省略のスタンド用ロック板の支点軸の軸孔、１２は、ロック板をロックするよう取付け板９に設けた切欠部、また、取付け板９とロック板との間には、撥ね上げ状態にスタンド（脚部材１）を保持したり、スタンドのロック状態を維持する図示省略の牽引ばねが張設される。
また、蛇行する延長部２と折り返し部５に連続する接地部６との間には、図示するように高低差があって、スタンドを掛けた状態では直線形の接地部６が接地する。
【００１０】
図示した実施例は、使用上の利便性、耐久性を考慮した本発明の好ましい態様を示すものであって、本発明の実施に際して、例えば接地部６と垂直折り曲げ部４の前後位置を変えたり、接地部の両端部のみを接地させるようにする場合もあり、各部の形状は、本発明の要旨に沿って適宜に設計変更し得ることはいうまでもない。
【００１１】
【発明の効果】
前記のように構成され、上記のように用いられるようにした本発明によれば、スタンドを掛けた場合に、接地部が車体ならびにタイヤの下方に位置するので、片脚スタンドであるにもかかわらず両脚スタンドの場合と同様に、車体に傾きのない安定した駐輪ができる。また、スタンドを掛けた状態では、延長部の中間に設けた垂直折り返し部の間にタイヤの下端部分を上方に浮かせて自転車の後輪の接地が阻まれるので、妄りに持ち去られるおそれが少ない。
さらに本発明片脚スタンドは、上記折り返し部の先端を片脚スタンド本来の脚部に接続しているので、１本脚にもかかわらず強固で耐久性に富み、スタンドの起伏操作も簡単にできるという効果がある。
【図面の簡単な説明】
【図１】図１は、車体の左側に取り付けられるようにした片脚スタンドの脚部材の背面、
【図２】図２は、同上の平面図、
【図３】図３は、同上の左側面図、
【図４】図４は、車体の右側に取り付けられるようにした片脚スタンドの脚部材の背面図、
【図５】図５は、同上の平面図、
【図６】図６は、同上の右側面図である。
【符号の説明】
１  脚部材    （１’  下端部）
２  延長部
３  折り曲げ部
４  垂直折り曲げ部
５  折り返し部
６  接地部
７  接続部
８  膨出部
９  取付け板
１０  軸孔
１１  軸孔
１２  切欠部
【図１】
2004217007.tif 000003
【図２】
2004217007.tif 000004
【図３】
2004217007.tif 000005
【図４】
2004217007.tif 000006
【図５】
2004217007.tif 000007
【図６】
2004217007.tif 000008